(57)【要約】      （修正有）【課題】  偏向コイルに電力を供給する樹脂被覆電線が意図せずに結束枠から外れるのを防止する。【解決手段】  偏向装置のバックカバー１８は樹脂被覆電線を結束するための結束枠３５を有する。結束枠３５は、垂直方向（Ｙ軸）と平行な方向に沿って見たとき、樹脂被覆電線の全てをＹ軸と平行な方向に通過させることができるだけの面積を有する結束領域３６を形成している。樹脂被覆電線が接続される端子のうち、Ｚ軸方向において最も両外側に位置する２つの端子によって挟まれたＺ軸方向の範囲が、結束領域３６のＺ軸方向の範囲の少なくとも一部と、Ｚ軸方向において重複している。【選択図】  図５
2006351291.tif 000002
【特許請求の範囲】
【請求項１】
少なくとも水平偏向コイルと、垂直偏向コイルと、前記水平偏向コイル及び前記垂直偏向コイルを電気的に相互に絶縁し且つ支持する樹脂枠と、前記樹脂枠の小径側に固定されたバックカバーと、前記水平偏向コイルからの引き出し線及び前記水平偏向コイルに電力を供給するための水平偏向コイル用樹脂被覆電線を接続し固定するための水平偏向コイル用端子と、前記垂直偏向コイルからの引き出し線及び前記垂直偏向コイルに電力を供給するための垂直偏向コイル用樹脂被覆電線を接続し固定するための垂直偏向コイル用端子と、前記水平偏向コイル用端子及び垂直偏向コイル用端子を保持する端子板とを備えた偏向装置であって、
前記バックカバーは、前記水平偏向コイル用樹脂被覆電線及び前記垂直偏向コイル用樹脂被覆電線を結束するための結束枠を有し、
前記偏向装置の中心軸方向をＺ軸、前記Ｚ軸と直交する水平方向軸をＸ軸、前記Ｘ軸及び前記Ｚ軸と直交する垂直方向軸をＹ軸とし、前記樹脂枠の大径側をＺ軸の正の側とするＸＹＺ直交座標系を定義したとき、
前記結束枠は、前記Ｙ軸と平行な方向に沿って見たとき、前記水平偏向コイル用樹脂被覆電線及び前記垂直偏向コイル用樹脂被覆電線の全てを前記Ｙ軸と平行な方向に通過させることができるだけの面積を有する結束領域を形成しており、
前記水平偏向コイル用端子及び前記垂直偏向コイル用端子のうち、前記Ｚ軸方向において最も両外側に位置する２つの端子によって挟まれた前記Ｚ軸方向の範囲が、前記結束領域の前記Ｚ軸方向の範囲の少なくとも一部と、前記Ｚ軸方向において重複していることを特徴とする偏向装置。
【請求項２】
前記結束枠は、前記Ｘ軸及び前記Ｚ軸を含むＸＺ面と平行な面内で湾曲した湾曲部を有する湾曲アームと、前記ＸＺ面と平行な直線部をその先端側に有する直線アームとを少なくとも備える請求項１に記載の偏向装置。
【請求項３】
前記湾曲アームの前記Ｚ軸の正の側の端面に対して、前記直線アームの先端は前記Ｚ軸の正の側に位置する請求項２に記載の偏向装置。
【請求項４】
前記湾曲部と前記直線部とは、前記Ｙ軸方向における位置が異なる請求項２に記載の偏向装置。
【請求項５】
請求項１〜４のいずれかに記載の偏向装置を備えた陰極線管装置。
【発明の詳細な説明】
【技術分野】
【０００１】
本発明は、偏向装置に関する。また、本発明は、偏向装置を備えた陰極線管装置に関する。
【背景技術】
【０００２】
陰極線管装置は、電子ビームを水平方向及び垂直方向に偏向させるための偏向装置を備える。陰極線管装置をテレビセットに組み込む際に、テレビセットと偏向装置との電気的接続には複数の樹脂被覆電線が一般に使用される。特に水平偏向コイルに接続される樹脂被覆電線からは、テレビセットの性能に影響を与える漏れ磁界が発生する。このため、複数の樹脂被覆電線は、偏向装置とテレビセットとの間でばらけることがないように、偏向装置の近傍において結束テープで束ねられることが多い。
【０００３】
一方、陰極線管式テレビセットの低価格化に伴って偏向装置のコストダウンに対する要求が厳しくなっており、構成部品の点数削減は大きな課題となっている。
【０００４】
この課題を解決する技術が特許文献１に開示されている。これを、図１を用いて説明する。セパレータ１の小径側に、閉ループを形成する結束枠６が設けられている。一端がターミナル２に接続された複数の樹脂被覆電線３は、溝５内を通って、結束枠６が形成する閉ループ内に案内される。結束枠６には分割部６ａが形成されており、結束枠６は薄い板材で形成されているので弾性変形可能である。従って、複数の樹脂被覆電線３は、分割部６ａを利用して、結束枠６を変形させることにより、閉ループ内に挿入される。かくして、複数の樹脂被覆電線３を結束枠６で束ねることができる。よって、結束テープが不要になり、構成部品点数を削減することができる。
【特許文献１】特開平１０−１９９４４８号公報
【発明の開示】
【発明が解決しようとする課題】
【０００５】
しかしながら、図１の偏向装置では、分割部６ａが形成されてはいるものの、結束枠６は閉ループを形成しているので、樹脂被覆電線３の挿入性が悪く、また、一旦挿入された樹脂被覆電線３を取り外すのも困難であるという問題がある。
【０００６】
樹脂被覆電線３の挿入性や取り外し性を改善するためには、結束枠６の厚みを薄くして撓みやすくすれば良い。ところが、これは結束枠６の強度の低下を招き、結束枠６の折れなどの不良が生じやすくなる。また、挿入された樹脂被覆電線３が、振動や意図しない外力により容易に結束枠６から外れてしまう。これを図２を用いて説明する。
【０００７】
図２は従来の偏向装置の側面図である。溝５及び結束枠６は、それぞれほぼＸＹ面に平行に配置されているので、樹脂被覆電線３は、結束枠６が形成する閉ループ内を、セパレータ１の小径側から大径側に向かって通過する。即ち、樹脂被覆電線３は、結束枠６によってセパレータ１の大径側に曲げられている。従って、結束枠６は、樹脂被覆電線３から矢印Ｆ１に示す方向の力を常に受けている。この力Ｆ１のＺ軸方向成分Ｆ２は結束枠６の分割部６ａを開かせるように作用する。従って、この状態において、輸送時の振動や組立時の取り扱いによる外力が作用すると、樹脂被覆電線３は容易に結束枠６から外れてしまう。
【０００８】
本発明は、上記の従来の問題を解決し、意図せずに樹脂被覆電線が外れる可能性が少ない結束枠を備えた偏向装置及び陰極線管装置を提供することを目的とする。
【課題を解決するための手段】
【０００９】
本発明に係る偏向装置は、少なくとも水平偏向コイルと、垂直偏向コイルと、前記水平偏向コイル及び前記垂直偏向コイルを電気的に相互に絶縁し且つ支持する樹脂枠と、前記樹脂枠の小径側に固定されたバックカバーと、前記水平偏向コイルからの引き出し線及び前記水平偏向コイルに電力を供給するための水平偏向コイル用樹脂被覆電線を接続し固定するための水平偏向コイル用端子と、前記垂直偏向コイルからの引き出し線及び前記垂直偏向コイルに電力を供給するための垂直偏向コイル用樹脂被覆電線を接続し固定するための垂直偏向コイル用端子と、前記水平偏向コイル用端子及び垂直偏向コイル用端子を保持する端子板とを備える。
【００１０】
前記バックカバーは、前記水平偏向コイル用樹脂被覆電線及び前記垂直偏向コイル用樹脂被覆電線を結束するための結束枠を有する。
【００１１】
前記偏向装置の中心軸方向をＺ軸、前記Ｚ軸と直交する水平方向軸をＸ軸、前記Ｘ軸及び前記Ｚ軸と直交する垂直方向軸をＹ軸とし、前記樹脂枠の大径側をＺ軸の正の側とするＸＹＺ直交座標系を定義したとき、前記結束枠は、前記Ｙ軸と平行な方向に沿って見たとき、前記水平偏向コイル用樹脂被覆電線及び前記垂直偏向コイル用樹脂被覆電線の全てを前記Ｙ軸と平行な方向に通過させることができるだけの面積を有する結束領域を形成しており、前記水平偏向コイル用端子及び前記垂直偏向コイル用端子のうち、前記Ｚ軸方向において最も両外側に位置する２つの端子によって挟まれた前記Ｚ軸方向の範囲が、前記結束領域の前記Ｚ軸方向の範囲の少なくとも一部と、前記Ｚ軸方向において重複していることを特徴とする。
【発明の効果】
【００１２】
本発明によれば、樹脂被覆電線は、結束枠に結束された状態において結束枠に対して恒常的に大きな外力を印加しない。従って、意図せずに樹脂被覆電線が結束枠から外れる可能性を低減できる。
【発明を実施するための最良の形態】
【００１３】
本発明の上記の偏向装置において、前記結束枠は、前記Ｘ軸及び前記Ｚ軸を含むＸＺ面と平行な面内で湾曲した湾曲部を有する湾曲アームと、前記ＸＺ面と平行な直線部をその先端側に有する直線アームとを少なくとも備えることが好ましい。これにより、樹脂被覆電線の結束領域に対する挿入性と取り外し性が向上する。
【００１４】
前記湾曲アームの前記Ｚ軸の正の側の端面に対して、前記直線アームの先端は前記Ｚ軸の正の側に位置することが好ましい。これにより、直線アームが樹脂被覆電線をガイドする役割を果たすので、樹脂被覆電線の結束領域内への挿入性が更に向上する。
【００１５】
前記湾曲部と前記直線部とは、前記Ｙ軸方向における位置が異なることが好ましい。これにより、樹脂被覆電線の結束領域に対する挿入性及び取り外し性が更に向上する。
【００１６】
陰極線管装置が本発明の上記の偏向装置を備えることが好ましい。本発明の偏向装置を備えることにより、意図せずに樹脂被覆電線が結束枠から外れる可能性が少ない。従って、高信頼性の陰極線管装置を提供できる。
【００１７】
以下、本発明の実施の形態について図面を参照しながら説明する。
【００１８】
図３は、本発明の偏向装置１２が搭載された陰極線管装置１９の一実施形態を示した側面図である。陰極線管装置１９は、画像表示部２７がほぼ矩形状のガラス製のパネル２１と、このパネル２１に連接された漏斗状のガラス製ファンネル２２と、このファンネル２２に連接された円筒状のガラス製のネック部２３とからなる真空外囲器を有する。ネック部２３からファンネル２２に至る外囲器の外周面上に偏向装置１２が装着されている。ファンネル２２は、ネック部２３との連接部から偏向装置１２が装着された位置までの径小部、いわゆるヨーク部２４を有する。ネック部２３内には電子ビーム２５を射出する電子銃２６が配設されている。電子ビーム２５は、偏向装置１２が発生する水平、垂直偏向磁界により水平、垂直方向に偏向され、スクリーン２０を水平、垂直走査し、これにより画像が表示される。
【００１９】
図４に偏向装置１２の側面図を示す。この偏向装置１２は、中心軸（これは、偏向装置１２が搭載される陰極線管の管軸にほぼ一致する）側から外側に向かって、水平偏向コイル（図示せず）、樹脂枠１４、垂直偏向コイル１５、コア１６をこの順に備える。以下の説明の便宜のため、図示したように、偏向装置１２の中心軸をＺ軸、Ｚ軸と直交する水平方向軸をＸ軸、Ｘ軸及びＺ軸と直交する垂直方向軸をＹ軸とするＸＹＺ直交座標系を定義する。Ｚ軸方向において、樹脂枠１４の大径側（図４の紙面左側）をＺ軸の正の側、小径側をＺ軸の負の側とする。
【００２０】
樹脂枠１４は、水平偏向コイルと垂直偏向コイル１５との間の電気的な絶縁状態を維持すると共に、両偏向コイルを支持する役割を果たしている。樹脂枠１４は、偏向装置１２が搭載されるファンネルの外寸法の変化に合致するような略漏斗形状を有している。
【００２１】
樹脂枠１４の上部に設けられたフック２８には端子板３０が固定されている。端子板３０には、複数の水平偏向コイル用端子（以下、「水平端子」という）３２と複数の垂直偏向コイル用端子（以下、「垂直端子」という）３４とを含む複数の端子２９が設けられている。水平端子３２の端子板３０より上側（Ｚ軸から遠い側）の部分に水平偏向コイルの引き出し線（図示せず）が接続され、水平端子３２の端子板３０より下側（Ｚ軸に近い側）の部分に水平偏向コイルに電力供給するための水平偏向コイル用樹脂被覆電線（以下、「水平電線」という）３１が接続される。同様に、垂直端子３４の端子板３０より上側（Ｚ軸から遠い側）の部分に垂直偏向コイルの引き出し線（図示せず）が接続され、垂直端子３４の端子板３０より下側（Ｚ軸に近い側）の部分に垂直偏向コイルに電力供給するための垂直偏向コイル用樹脂被覆電線（以下、「垂直電線」という）３３が接続される。
【００２２】
樹脂枠１４の小径側にはバックカバー１８が装着されている（図４ではバックカバー１８の一部は削除されている）。図５にバックカバー１８の斜視図を示す。
【００２３】
バックカバー１８は、Ｚ軸の負の側端に固定部１７を有する。固定部１７は、略円筒形状を有し、Ｚ軸方向と平行な複数のスリット１７ａが形成されている。固定部１７の外周面上に締め付けバンドを装着することにより、バックカバー１８を含む偏向装置１２は陰極線管の外囲器に固定される。
【００２４】
バックカバー１８の下部に結束枠３５が形成されている。
【００２５】
図６は、Ｙ軸と平行な方向に沿って下から見た結束枠３５の下面図である。図７は、Ｚ軸と平行な方向に沿って見た結束枠３５の正面図である。
【００２６】
結束枠３５は、バックカバー１８のＸＺ面と平行な下面４５の端縁４５ａと、下面４５のＺ軸とは反対側の面に設けられた直線アーム３７及び湾曲アーム３８とによって形成される。
【００２７】
直線アーム３７は、その先端側に、ＸＺ面と平行（本例では、更にＺ軸と平行）な直線部３７ａを備える。直線部３７ａは、下面４５のＸ軸と平行な端部４５ａよりもＺ軸の正の側に突出している。
【００２８】
湾曲アーム３８は、ＸＺ面と平行な面内で湾曲した湾曲部３８ａを備える。湾曲部３８ａは、下面４５の端縁４５ａよりもＺ軸の正の側に突出している。
【００２９】
図６に示すように、Ｙ軸と平行な方向に沿って見たとき、結束枠３５は、下面４５の端縁４５ａと直線アーム３７と湾曲アーム３８とによって形成された不完全な環状枠である。Ｙ軸と平行な方向に沿って見たとき、この結束枠３５により囲まれた結束領域３６は、水平電線３１及び垂直電線３３の全てをＹ軸と平行な方向に通過させることができるだけの面積を有する。
【００３０】
図４に示すように、一端が水平端子３２に接続された水平電線３１と、一端が垂直端子に３４に接続された垂直電線３３とは、コア１６の外周上を案内されて、結束枠３５が形成する結束領域３６内を通過して束ねられて、駆動回路の端子板５０に導かれる。
【００３１】
水平電線３１及び垂直電線３３を結束枠３５に束ねる作業は以下のようにして行う。図６に示すように、直線アーム３７を矢印Ａの向きに二点鎖線３７’のように弾性変形させ、湾曲アーム３８の先端と直線アーム３７との間の隙間４２を拡大させ、この隙間４２を通って水平電線３１及び垂直電線３３を結束領域３６内に挿入する。
【００３２】
図６に示すように、Ｙ軸と平行な方向に沿って見たとき、Ｚ軸の最も正の側に位置する湾曲アーム３８の端面４０に対して、直線アーム３７の先端３９はＺ軸の正の側に位置している。また、端面４０又はその延長線は直線部３７ａと交差している。従って、隙間４２に水平電線３１及び垂直電線３３を通過させる際に、直線アーム３７及び湾曲アーム３８が水平電線３１及び垂直電線３３をガイドするので、結束作業が容易である。
【００３３】
実際には、水平電線３１及び垂直電線３３を直線アーム３７の直線部３７ａに沿わせながら、水平電線３１及び垂直電線３３で直線アーム３７を二点鎖線３７’のように弾性変形させて、結束領域３６内に挿入すると作業が容易である。直線アーム３７の直線部３７ａは長いので、水平電線３１及び垂直電線３３をガイドする役割を有するとともに、外力を加えると十分に撓むことができる。しかも、直線部３７ａは、そのような撓みに耐えるのに必要な機械的強度を有している。
【００３４】
また、湾曲アーム３８の湾曲部３８ａは、結束領域３６を取り囲むように略円弧状に湾曲しているので、水平電線３１及び垂直電線３３は、結束領域３６内に挿入された後は、ばらけることなく拘束される。
【００３５】
水平電線３１及び垂直電線３３を結束枠３５から取り外すには、水平電線３１及び垂直電線３３を直線アーム３７の直線部３７ａに沿わせながら、水平電線３１及び垂直電線３３で直線アーム３７を二点鎖線３７’のように弾性変形させればよい。この場合も、直線アーム３７及び湾曲アーム３８が水平電線３１及び垂直電線３３をガイドするので、取り外し作業が容易である。
【００３６】
結束領域３６内へ挿入された水平電線３１及び垂直電線３３の結束力の確保の観点からは、図６に示すように、湾曲アーム３８の先端と直線アーム３７の直線部３７ａとの間の隙間４２の、Ｙ軸と平行な方向に沿って見たときの間隔Ｌ１は０．５ｍｍ以下であることが好ましい。水平電線３１及び垂直電線３３の結束領域３６に対する挿入性及び取り外し性が著しく阻害されないのであれば、間隔Ｌ１がゼロ、即ち、Ｙ軸と平行な方向に沿って見たとき、湾曲アーム３８と直線アーム３７とが交差していても良い。
【００３７】
図７に示すように、直線アーム３７の直線部３７ａと湾曲アーム３８の湾曲部３８ａとはＹ軸方向の位置が異なる。このため、湾曲アーム３８の先端と直線アーム３７の直線部３７ａとの間の隙間４２の、直線部３７ａの長手方向と平行な方向に沿って見たときの間隔をＬ２としたとき、この間隔Ｌ２と図６に示した間隔Ｌ１とは、Ｌ２＞Ｌ１を満足する。これにより、水平電線３１及び垂直電線３３の結束領域３６に対する挿入性及び取り外し性が向上する。水平電線３１及び垂直電線３３の結束領域３６に対する挿入性及び取り外し性の確保の観点からは、Ｌ２≧２ｍｍが好ましい。また、結束領域３６内へ挿入された水平電線３１及び垂直電線３３の結束力の確保の観点からは、Ｌ２≦３ｍｍが好ましい。図７では、直線部３７ａは湾曲部３８ａよりもＺ軸から遠い位置にあるが、直線部３７ａと湾曲部３８ａとのＹ軸方向の相対的位置関係はこれに限定されない。即ち、湾曲部３８ａが直線部３７ａよりもＺ軸から遠い位置にあっても良い。この場合も、隙間４２の間隔Ｌ２が上記の範囲を満足することが好ましい。
【００３８】
図８は、本発明の一実施形態に係る偏向装置において、水平端子３２及び垂直端子３４と結束枠３５が形成する結束領域３６とのＺ軸方向における位置関係を示した側面図である。図示したように、端子板３０に保持された水平端子３２及び垂直端子３４のうち、Ｚ軸方向において最も両外側に位置する２つの端子によって挟まれたＺ軸方向の範囲をＳとする。ここで、水平端子３２のＺ軸方向の位置は、水平電線３３が接続される位置により定義される。同様に、垂直端子３４のＺ軸方向の位置は、垂直電線３５が接続される位置により定義される。
【００３９】
本発明では、範囲Ｓが、結束領域３６のＺ軸方向の範囲の少なくとも一部と、Ｚ軸方向において重複している。上述したように、Ｙ軸と平行な方向に沿って見たとき、結束領域３６は、水平電線３１及び垂直電線３３の全てをＹ軸と平行な方向に通過させることができるだけの面積を有している。従って、水平電線３１及び垂直電線３３は、水平端子３２及び垂直端子３４からＸＹ面に平行な面にほぼ沿って案内されて結束領域３６を通過するので、結束枠３５に対して大きな力を印加しない。従って、結束枠３５で結束された水平電線３１及び垂直電線３３に振動や意図しない外力が加えられても、水平電線３１及び垂直電線３３が結束枠３５から外れるのが防止される。範囲Ｓと結束領域３６とは、Ｚ軸方向において少なくとも一部が重複していればよいが、一方のＺ軸方向の範囲が、他方のＺ軸方向の範囲を包含していると、水平電線３１及び垂直電線３３が結束枠３５から一層外れにくくなるので好ましい。なお、結束領域３６のＺ軸方向寸法は、範囲ＳのＺ軸方向寸法より小さいことが好ましい。水平電線３１及び垂直電線３３を小さく結束することができるからである。
【００４０】
図９は、上記範囲Ｓと結束枠３５が形成する結束領域３６とがＺ軸方向において重複していない場合を示した側面図である。この場合には、水平電線３１及び垂直電線３３は、水平端子３２及び垂直端子３４からＸＹ面に対して斜めに案内されて結束領域３６を通過するので、結束枠３５に対して常に大きな力Ｂを印加している。従って、結束枠３５で結束された水平電線３１及び垂直電線３３に振動や意図しない外力が加えられると、水平電線３１及び垂直電線３３は結束枠３５から容易に外れる。
【００４１】
本発明者は、Ｌ１＝０．５ｍｍ、Ｌ２＝２．２ｍｍの結束枠３５を有し、水平端子３２及び垂直端子３４に対してＺ軸方向において図８の相対的位置関係を満たす偏向装置を作成し、２本の外径φ＝２．８ｍｍの水平電線３１と２本の外径φ＝２．３ｍｍの垂直電線３３との合計４本の電線の挿入性、結束力、および取り外し性を評価した。結果、すべての項目において実用上問題ないことを確認した。
【産業上の利用可能性】
【００４２】
本発明の利用分野は特に限定されず、例えばテレビジョンまたはコンピュータディスプレイ等のカラー受像管や、投写型プロジェクションテレビ用のモノクロム管などに利用することができる。
【図面の簡単な説明】
【００４３】
【図１】従来の偏向装置の主要部を示した斜視図
【図２】従来の偏向装置の側面図
【図３】本発明の偏向装置が搭載された陰極線管装置の一実施形態を示した側面図
【図４】本発明の一実施形態に係る偏向装置の側面図
【図５】本発明の一実施形態に係る偏向装置に装着されるバックカバーの斜視図
【図６】本発明の一実施形態に係る偏向装置において、結束枠の下面図
【図７】本発明の一実施形態に係る偏向装置において、結束枠の正面図
【図８】水平端子及び垂直端子と結束枠が形成する結束領域との位置関係が本発明の条件を満足する一例を示した図
【図９】水平端子及び垂直端子と結束枠が形成する結束領域との位置関係が本発明の条件を満足しない一例を示した図
【符号の説明】
【００４４】
１    セパレータ
２    ターミナル
３    樹脂被覆電線
５    溝
６    結束枠
６ａ  結束枠の分割部
１２  偏向装置
１４  樹脂枠
１５  垂直偏向コイル
１６  コア
１７  固定部
１８  バックカバー
１９  陰極線管装置
２０  スクリーン
２１  パネル
２２  ファンネル
２３  ネック部
２４  ヨーク部
２５  電子ビーム
２６  電子銃
２７  画像表示部
２８  フック
２９  端子
３０  端子板
３１  水平偏向コイル用樹脂被覆電線（水平電線）
３２  水平偏向コイル用端子（水平端子）
３３  垂直偏向コイル用樹脂被覆電線（垂直電線）
３４  垂直偏向コイル用端子（垂直端子）
３５  結束枠
３６  結束領域
３７  直線アーム
３７ａ  直線部
３８  湾曲アーム
３８ａ  湾曲部
３９  直線アームの先端
４０  湾曲アームの端面
４２  直線アームと湾曲アームとの間の隙間
４５  下面
４５ａ  端縁
５０  端子板
【図１】
2006351291.tif 000003
【図２】
2006351291.tif 000004
【図３】
2006351291.tif 000005
【図４】
2006351291.tif 000006
【図５】
2006351291.tif 000007
【図６】
2006351291.tif 000008
【図７】
2006351291.tif 000009
【図８】
2006351291.tif 000010
【図９】
2006351291.tif 000011